(57)【特許請求の範囲】
【請求項１】
外面の片側に板ばねが固設される固定溝を有する固定爪を中央に形成し、その中央に前方に突出するように固定軸を形成し、且つ、その外側に多数の固定突起が突設された固定板よりなる固定体と、  前記固定軸の外面に内面に互いに対称となるように補強爪を形成し、外面にネジ山を有する内部ギアを設け、固定突起には外面にネジ山が形成された小ギアを嵌着して内部ギアと小ギアを噛合すると共に、外周面に互いに対称をなしながら内部に切欠溝を有する固定爪を形成し、切欠溝にばねの係止爪が嵌入されている固定リングが内部ギアと連結されているギア体と、 外周面に下端に把持部が形成された回転コードが巻回されており、且つ、内周面のネジ山が前記小ギアの外面に螺着するようにして内外周面にネジ山が形成された回転ギアが、前方に凹設された係合溝に嵌入されている作動板と、  前記作動板の前方の面に設けられ、中央に挿入孔を有し、且つ、ギア体及び回転コードが外部に離脱することを遮断するように固設される仕上板と、  前記仕上板の挿入孔に挿入されて内部ギアの補強爪に当接するように設けられ、中央に固定軸が挿入される挿入孔を有し、後方の外面に互いに対称をなしながら片側に傾斜面が形成された係合溝を有し、且つ、前方にはネジ山が形成された送り具と、  前記送り具のネジ山に噛着され、内部の前方に送り具のネジ山と噛合するようにネジ山を有し、且つ、中央に挿入孔が穿設された回動具が設けられたカバーと、を備えることを特徴とするワンコードブラインド。
【発明の詳細な説明】
【技術分野】
【０００１】
本発明はワンコードブラインドに係り、さらに詳しくは、構造をより簡素化して製造が容易であり、ボールチェーンを使用しないことから安全事故を防ぐことができると共に、室内インテリアが素敵に仕上がるワンコードブラインドに関する。
【背景技術】
【０００２】
一般に、ロールスクリーンブラインドは、事務室や家庭または食堂などにおいてカーテンの代わりに使用するものであって、織物製または合成樹脂製のスクリーンをブラケットの片側に設けられたスプロケットのボールチェーンを一方向に引っ張ってスクリーンがばねの弾性力により巻取管から繰り出されながら下降し、これを所定の位置に固定して窓などを介して入ってくる光を遮断するのに使用するものである。
【０００３】
この種のロールスクリーンブラインド１０は、図１に示すように、両側のブラケット９に回動部材５と減速部材８を設け、その外面にスクリーンが巻回されている巻取管を嵌め付ける。
【０００４】
前記回動部材５には回動体１の前方に回動具２が形成された連結軸３を設け、連結軸３の外面にばね４を外嵌する。また、前記ばね４の両端は回動体１と回動具２の片面に固定し、回動具２はばね４の弾性により連結軸３を左右に移動させる。
【０００５】
前記減速部材８は、アジャスターを有する回動体１の前方に減速器６を設け、その前方に減速ナット７ａを有する固定軸７を取り付ける。
【０００６】
そして、前記両側の回動体１の外面にスクリーンが巻回されている巻取管を嵌め付け、ブラケット９をネジなどを用いて窓枠及びガラス壁枠に固設する。
【０００７】
かかるロールスクリーンブラインドのスクリーンを上下方に作動するためには、スプロケットに設けられているボールチェーンの一方の方向を引っ張ると、スクリーンが下方に下降して光を遮断することになり、ボールチェーンの他方の方向を引っ張ると、スクリーンが上方に上昇しながら開放される。
【０００８】
このように、従来のロールスクリーンブラインドは、ボールチェーンが１本ではなく、互いに連結された２本で構成されているため、ユーザーがスクリーンの上下作動を行うことが決して容易ではないという不都合があった。
【０００９】
また、ボールチェーンが絡んでいる場合がしばしば発生するため見栄えが悪く、しかも、絡んでいる紐を解いてから作動しなければならないという欠点がった。
【００１０】
さらに、スクリーンを下方に下降するためには、ボールチェーンを一方向に引っ張り続けなければならないという不都合があった。
【先行技術文献】
【特許文献】
【００１１】
【特許文献１】特開２０００−１４５３２９
【特許文献２】大韓民国特許１０−０８１５９２４号公報
【発明の概要】
【発明が解決しようとする課題】
【００１２】
本発明は上記事情に鑑みてなされたものであり、その目的は、構造を簡素化して製造コストを大幅に削減し、ボールチェーンを使用しないことから紐が絡んだりせず、安全事故が起こることを防止可能なワンコードブラインドを提供するところにある。
【００１３】
また、本発明の他の目的は、２本のボールチェーンを使用しないことから、室内インテリアを素敵に仕上げることができ、回転コードの把持部を用いて、または、ユーザーが自ら手でロールスクリーンを昇降できることから昇降作動が極めて容易に且つ簡単に行えるワンコードブラインドを提供するところにある。
【課題を解決するための手段】
【００１４】  上記の目的を達成するために、本発明は、外面の片側に板ばねが固設される固定溝を有する固定爪を中央に形成し、その中央に前方に突出するように固定軸を形成し、且つ、その外側に多数の固定突起が突設された固定板よりなる固定体と、前記固定軸の外面に内面に互いに対称するように補強爪を形成し、外面にネジ山を有する内部ギアを設け、固定突起には外面にネジ山が形成された小ギアを嵌着して内部ギアと小ギアが噛合するようにすると共に、外周面に互いに対称をなしながら内部に切欠溝を有する固定爪を形成し、切欠溝にばねの係止爪が嵌入されている固定リングが内部ギアと連結されているギア体と、外周面に下端に把持部が形成された回転コードが巻回されており、且つ、内周面のネジ山が前記小ギアの外面に螺着するようにして内外周面にネジ山が形成された回転ギアが、前方に凹設された係合溝に嵌入されている作動板と、前記作動板の前方の面に設けられ、中央に挿入孔を有し、且つ、ギア体及び回転コードが外部に離脱することを遮断するように固設される仕上板と、前記仕上板の挿入孔に挿入されて内部ギアの補強爪に当接するように設けられ、中央に固定軸が挿入される挿入孔を有し、後方の外面に互いに対称をなしながら片側に傾斜面が形成された係合溝を有し、且つ、前方にはネジ山が形成された送り具と、前記送り具のネジ山に噛着され、内部の前方に送り具のネジ山と噛合するようにネジ山を有し、且つ、中央に挿入孔が穿設された回動具が設けられたカバーと、を備えることを特徴とするワンコードブラインドを提供する。
【発明の効果】
【００１５】
本発明は、構造をより簡素化して製造が容易であり、しかも、昇下降作動も簡単に行えるというメリットがある。
【００１６】
また、ボールチェーンを使用しないことから安全事故を防ぐことができ、しかも、室内インテリアが素敵に仕上がるというメリットがある。
【００１７】
さらに、回転コードはもとより、手でもロールスクリーンを昇降できることから昇降作業が極めて簡単に行えるというメリットがある。
【図面の簡単な説明】
【００１８】
【図１】従来のブラインドの構成を示す斜視図。
【図２】本発明によるワンコードブラインドの構成を示す分解斜視図。
【図３】本発明によるワンコードブラインドの構成を示す断面図。
【図４】本発明によるワンコードブラインドの結合状態を示す側面図。
【図５】本発明によるワンコードブラインドの結合状態を示す側面図。
【図６】本発明によるワンコードブラインドの構成を示す側断面図。
【図７】本発明によるワンコードブラインドの作動状態を示す側面図。
【図８】本発明によるワンコードブラインドの作動状態を示す側面図。
【図９】本発明によるワンコードブラインドの使用状態を示す使用状態図。
【図１０】本発明によるワンコードブラインドの使用状態を示す使用状態図。
【図１１】本発明によるワンコードブラインドの使用状態を示す使用状態図。
【発明を実施するための形態】
【００１９】
以下、添付図面に基づき、本発明の好適な実施形態を詳述する。
【００２０】
図２及び図３は本発明によるワンコードブラインドの構成を示す図面である。図中、符号１００は本発明によるワンコードブラインド本体を示している。
【００２１】
前記本体１００は、固定軸１３を有する固定板１５よりなる固定体１０と、多数のギアよりなるギア体５０と、多数のギアと連動して回転し、把持部６１が形成された回転コード６２を有する作動板６０と、ギア体５０及び回転コード６２が外部に離脱することを遮断する仕上板７０と、カバー９０の回動具９３と螺合しながらカバーを固定及び解放する送り具８０と、を備える。
【００２２】
前記固定体１０は、外周面の片面に板ばね１９が嵌入される固定溝１１が凹設された固定爪１２を前方に突出するように形成し、その中央に前方に長く突出するように形成され、先端にワッシャ溝１８が凹設された固定軸１３を形成し、固定爪１２の外面に多数の固定突起１４が突設されている円形の固定板１５から構成されている。
【００２３】
そして、固定突起１４の隙間にはボルトが締め付けられるようにボルト溝１７が凹設されている。
【００２４】
前記ギア体５０は多数のギア、すなわち、内部ギア２０、小ギア３０、固定リング４０により構成されている。
【００２５】
前記内部ギア２０は、内周面に互いに対称をなしながら前方に突出された補強爪２１を形成し、その外面にはネジ山２２を形成する。そして、中央には固定軸１３の外面に挿入されるように挿入孔２３を穿設する。
【００２６】
前記小ギア３０は中央に挿入孔３２を有し、外面にネジ山３１を形成している。
【００２７】
図４に示すように、内部ギア３０の挿入孔２３を固定軸１３の外面に挿設して固定爪１２に密着させ、小ギア３０の挿入孔３２を固定突起１４に挿設する。
【００２８】
このとき、内部ギア２０の外面に形成されたネジ山２２と多数の小ギア３０の外面に形成されたネジ山３１が噛合して同じ方向に回転することになる。
【００２９】
しかる後、内部ギア２０の前方に外周面に互いに対称をなしながら内部に切欠溝４１を有する固定爪４２を有する固定リング４０を固定軸１３の外面に回動自在に設ける。
【００３０】
前記固定リング４０の切欠溝４１にはばね４３の係止爪４４を嵌合し、固定爪４２の下側面が内部ギア２０の補強爪２１の片面と当接するように設ける。
【００３１】
前記作動板６０は、外周面に、下端に把持部６１が形成された１本の回転コード６２が巻回されており、前方の面は内周面と外周面にネジ山６４が形成された回転ギア６５が取着されている係合溝６３を有する。
【００３２】
前記作動板６０を小ギア３０外面に外嵌すると、図５に示すように、作動板６０の回転ギア６５の内周面に形成されたネジ山６４と小ギア３０のネジ山３１が噛合する。
【００３３】
前記仕上板７０は、中央に挿入孔７１を穿設し、外面に多数の孔７２を有する。
【００３４】
前記仕上板７０の挿入孔７１を回転軸１３に挿入して作動板と当接するように設ける。このとき、孔７２に固定突起１４が嵌入しながら仕上板７０が固設される。
【００３５】
前記送り具８０は円筒状を呈し、中央に固定軸１３が挿入される挿入孔８１を有すると共に、後方の外面に互いに対称をなしながら片側に傾斜面８２が形成された係合溝８３を有し、且つ、前方にはネジ山８４が形成されている。
【００３６】
前記送り具８０の係合溝８３の内部に、図６に示すように、内部ギア２０の補強爪２１が挿設されると共に、固定リング４０の固定爪４２も係合溝８３の内部に一緒に挿設される。なお、送り具８０の前方に弾性ばね８５を取り付ける。
【００３７】
前記カバー９０は、内面の前方に送り具８０のネジ山８４と噛合するようにネジ山９１を有し、かつ、中央に挿入孔９２が穿設された回動具９３を形成する。
【００３８】
前記回動具９３の挿入孔９２を回転軸１３に挿入して送り具８０のネジ山８４と螺合した後、回転軸１３の先端に凹設されたワッシャ溝１７にワッシャを嵌着する。
【００３９】
上記の本発明は、図１及び図１０に示すように、先ず、固定板１５の後方に公知のブラインド用のブラケットを取り付ける。
【００４０】
しかる後、固定板１５の回転軸１３の前方にストッパー１１０を設け、ストッパー１１０の前方には減速器１２０付き軸１２１を取り付ける
【００４１】
そして、反対側にもブラケット９の前方にロールスクリーンが巻回されている巻取管１が設けられる回動体５を設け、回動体５の前方には先端に回動具２が形成された連結軸３を設ける。そして、連結軸の外面に弾性体としてのばね４を外嵌する。しかる後、巻取管１の外面とカバー９０の外面にロールスクリーンを固設する。
【００４２】
このような状態で、ロールスクリーンを下方に下降するためには、図５から図１１に示すように、回転コード６２の把持部６１を把持して下方に引っ張ると、作動板６０が回転し、これと同時に、回転ギア６５も同じ方向に回転する。
【００４３】
さらに、回転ギア６５の内面に形成されたネジ山６４と螺合された多数の小ギア３０も同じ方向に回転する。これと同時に、小ギア３０と螺合された内部ギア２０は小ギア５０とは逆方向に回転する。
【００４４】
さらに、内部ギア２０の補強爪２１と当接している送り具８０の挿入溝８３が回転すると同時に、固定リング４０の固定爪４１が送り具８０の傾斜面８２に沿って上昇しながら、送り具８０を前方に前進させる。
【００４５】
このとき、弾性ばね８５が圧縮され、送り具８０のネジ山８１がカバーの内部に設けられた回動具９３のネジ山９１と噛合してカバー９０も一緒に回転すると同時に、カバー９０の前方に形成されたストッパー１１０も回転しながらロールスクリーンが下方に約５０ｃｍ程度下降することになる。
【００４６】
また、前記ストッパー１１０は、図１１に示すように、ボール１１１がボール溝１１２において回転していて、ガイド爪１１３の上側突部１１３ａにより傾斜溝１１４に向かって移動しながら回転する。その理由は、上側突部１１３ａの中心点が上側に凹設された送り溝１１５の中心点よりも右方に進んで形成されているため、ボール１１１が側方に移動できず、左方に移動することになる。なお、傾斜溝１１４を過ぎて垂直溝１１６の個所に位置することになる。
【００４７】
そして、回転コード６２の把持部６１を停止すると、ボール１１１が垂直溝１１６を過ぎて凹爪１１７の個所に移動し、待ち状態で留まっていることになる。このとき、前方にネジ１２０により固定されたばね１２１も前方に巻回されながら摩擦力が増大することになる。
【００４８】
この状態で、把持部６１をさらに下方に引っ張ると、上記の過程が繰り返し行われることにより、ロールスクリーンがさらに５０ｃｍ程度下降し、これを連続して繰り返し行うと、所望の位置までロールスクリーンを下降することが可能になる。
【００４９】
さらに、前方に進んでいたカバー９０はストッパー１１０のボール１１１の位置によりカバー９０が元に戻ることを遮断して、板ばね１９が締められたり緩んだりしながらロールスクリーンを下方に下降させる。
【００５０】
そして、ロールスクリーンを上方に上昇するためには、停止状態にある回転コード６２の把持部６１を弱くさらに下方に引っ張ったり、ユーザーが自らロールスクリーンを下方に引っ張ると、ストッパー１１０の内部ボール１１１が傾斜溝１１４を過ぎて上下溝１１８の個所に移動すると同時に、ばね１２１が締められた状態が解放されながら、自由な状態になると同時に、作動板６０は逆方向に回転することになり、回転ギア６５と螺合された小ギア３０と内部ギア２０も一緒に回転しながらロールスクリーンが上昇することになる。
【００５１】
これと同時に、反対側の回動体５もばね４の圧縮が解放されながらカバー９０と同じ方向に回転することになる。
【符号の説明】
【００５２】
１００：本体、
１０：固定体、
１１：固定溝、
１２、４２：固定爪、
１３：固定軸、
１４：固定突起、
１５：固定板、
２０：内部ギア、
２１：補強爪、
２２、３１、６４：ネジ山、
３０：小ギア、
４０：固定リング、
４１：切欠溝、
４３：ばね、
４４：係止爪、
５０：ギア体、
６０：作動板、
６１：把持部、
６２：回転コード、
６３：係合溝、
６５：回転ギア、
７０：仕上板、
８０：送り具、
８１：挿入孔、
８２：傾斜面、
８３：係合溝、
８４、９１：ネジ山、
９０：カバー、
９２：挿入孔、
９３：回動具
【図１】
0004979739.tif 000002
【図２】
0004979739.tif 000003
【図３】
0004979739.tif 000004
【図４】
0004979739.tif 000005
【図５】
0004979739.tif 000006
【図６】
0004979739.tif 000007
【図７】
0004979739.tif 000008
【図８】
0004979739.tif 000009
【図９】
0004979739.tif 000010
【図１０】
0004979739.tif 000011
【図１１】
0004979739.tif 000012